(57)【要約】  【課題】  複数のリモコンから空気調和機本体を運転操作することができる空気調和機において、１つのリモコンからの操作を受付けている時に他のリモコンからの操作の受付を禁止する期間を設けると、リモコンの操作を終えているにもかかわらず他のリモコンからの操作を受付けられない場合がある。【解決手段】リモコンは、リモコンの操作を終えて表示部を消灯する時にリモコンの操作終了を示す操作終了信号を空気調和機本体へ送信し、空気調和機本体は操作終了信号を受信すると他のリモコンからの操作の受付禁止を解除する。【選択図】図４
2015190676.tif 000002
【特許請求の範囲】
【請求項１】
空気調和機本体と、前記空気調和機本体との通信が可能な複数のリモコンを有し、前記空気調和機本体は複数の前記リモコンの１つから操作信号を受信した時、計時を開始し、計時時間が第一の所定時間を経過するまでの間、前記操作信号を送信したリモコン以外のリモコンから受信した操作信号の受付けを禁止し、前記リモコンは、キー操作が行われた時に計時を開始し、その計時時間が前記第一の所定時間よりも短い第二の所定時間を経過した時、前記リモコンの操作画面を表示する表示部を消灯するとともに前記空気調和機本体へ前記リモコンの操作終了を示す操作終了信号を送信し、前記空気調和機本体は、前記リモコンから前記操作終了信号を受信した時、前記複数のリモコンの全てからの前記操作信号の受付けを可能とすることを特徴とする空気調和機。
【発明の詳細な説明】
【技術分野】
【０００１】
本発明は、空気調和機本体とその空気調和機本体を運転操作するリモートコントローラとの間で電波を使用して双方向通信を行う空気調和機に関する。
【背景技術】
【０００２】
近年、空気調和機本体とその本体に付属のリモートコントローラ（以下、リモコンという）とを一対で使用する以外にも、図５に示すように部屋ＲＡに設置される空気調和機本体１０に対し、通信に電波を使用することで複数のリモコン２０Ａ，２０Ｂ，２０Ｃのそれぞれから運転操作ができるようにした空気調和機がある。
【０００３】
なお、図５の矢印は空気調和機本体とリモコンとをそれぞれ通信可能とするペアリング設定が行われた状態を示しており、空気調和機本体１０は同室にあるリモコン２０Ａと他室にあるリモコン２０Ｂ，２０Ｃからの運転操作を受付けることができる。
【０００４】
このように空気調和機本体に対して複数のリモコンから運転操作を行うことができる空気調和機が開示されている（例えば、特許文献１参照）。
【先行技術文献】
【特許文献】
【０００５】
【特許文献１】特開２０１３−１０４６４５号公報（第９頁、図７）
【発明の概要】
【発明が解決しようとする課題】
【０００６】
ところで、操作対象の装置が見えない場所からの遠隔操作に関しては、電気用品の安全確保について定められている電気用品安全法において、「同時に２カ所以上からの操作を受付けない対策を講じていること」が求められている。
【０００７】
空気調和機ではこの対策として、リモコンから空気調和機本体を運転操作する操作信号を受付けた時、操作信号を受付けたリモコンから操作信号の受信後、所定時間が経過するまでは他のリモコンからの操作信号を受付けないようにしている。
【０００８】
ただし、リモコンから運転操作を行う際、例えばメニュー画面で温度設定のメニューを選択し、選択した温度設定のメニューにおいて具体的な温度設定を入力した時にその操作信号を送信し、メニューの選択など具体的な設定を入力する前のキー操作では空気調和機本体へ操作信号を送信しないようになっている。
【０００９】
したがって、空気調和機本体ではリモコンから操作信号を受付けた後、そのリモコンの操作が継続されているのか否かを判別できないことから、リモコンの操作が継続されている場合も想定し、上記の所定時間の長さを設定する必要がある。
【００１０】
しかし、設定された所定時間が長いと、リモコンの操作中に他のリモコンからの操作を受付けない反面、操作中のリモコンの操作が終了していても他のリモコンからの操作を受付けられない時間が長くなり利用者の利便性を損なうという問題がある。
【００１１】
本発明は以上述べた問題点を解決し、複数のリモコンから同時に運転操作を受付けないようにした空気調和機において、利用者の利便性を高めた空気調和機を提供することを目的とする。
【課題を解決するための手段】
【００１２】
本発明は上述の課題を解決するため、本発明の請求項１に記載の発明は、空気調和機本体と、前記空気調和機本体との通信が可能な複数のリモコンを有し、前記空気調和機本体は複数の前記リモコンの１つから操作信号を受信した時、計時を開始し、計時時間が第一の所定時間を経過するまでの間、前記操作信号を送信したリモコン以外のリモコンから受信した操作信号の受付けを禁止し、前記リモコンは、キー操作が行われた時に計時を開始し、その計時時間が前記第一の所定時間よりも短い第二の所定時間を経過した時、前記リモコンの操作画面を表示する表示部を消灯するとともに前記空気調和機本体へ前記リモコンの操作終了を示す操作終了信号を送信し、前記空気調和機本体は、前記リモコンから前記操作終了信号を受信した時、前記複数のリモコンの全てからの前記操作信号の受付けを可能とすることを特徴とする。
【発明の効果】
【００１３】
以上の手段を用いることにより、本発明による空気調和機によれば、空気調和機本体に対して操作が許可されたリモコンを継続して操作している時には他のリモコンからの操作を確実に禁止しつつ、操作が許可されたリモコンの操作を終えた時には直ちに他のリモコンからの操作を受付けることができる。
【図面の簡単な説明】
【００１４】
【図１】本発明による空気調和機の概略構成を示すブロック図である。
【図２】本発明による空気調和機本体の信号受付可否テーブルを示す説明図である。
【図３】本発明によるリモコンのリモコン制御部の処理を説明するフローチャートである。
【図４】本発明による空気調和機本体の本体制御部の処理を説明するフローチャートである。
【図５】複数の空気調和機本体と複数のリモコンとの対応関係を示した図である。
【発明を実施するための形態】
【００１５】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１６】
図１は、本発明による空気調和機の概略構成を示すプロック図である。図１において空気調和機１は、空気調和機本体１０と、通信に電波を使用して空気調和機本体１０と双方向通信が可能な複数のリモコン２０とで構成されている。
【００１７】
空気調和機本体１０は、無線モジュールを用いて複数のリモコン２０との双方向通信を行う本体通信部１１と、時刻を計時する本体計時部１２と、空気調和機１が各種運転に使用するパラメータなどを記憶する記憶部１３と、これらを制御する本体制御部１４とを備えている。
【００１８】
また、本体制御部１４は複数のリモコン２０の１つから操作信号を受信すると、第一の所定時間（例えば２分間など）が経過するまで空気調和機本体１０に他のリモコンからの操作信号の受付けを禁止させる操作受付禁止部１４１を有し、記憶部１３は複数のリモコン２０毎に操作信号の受付の許可または禁止を記憶する信号受付可否テーブル１３１を有している。
【００１９】
リモコン２０は、無線モジュールを用いて空気調和機本体１０との双方向通信を行うリモコン通信部２１と、時刻を計時するリモコン計時部２２と、利用者がリモコン２０を操作する際に操作画面を表示する表示部２３と、利用者からの操作を受付けるキー入力部２４と、これらを制御するリモコン制御部２５とを備えている。
【００２０】
なおリモコン２０は、リモコン２０を駆動する電池の消耗を低減するために、キー入力部２４からキー操作が行われている時だけ表示部２３を表示し、キー操作が終了してから第二の所定時間（例えば３０秒間など）が経過すると表示部２３を消灯するようになっている。また、第二の所定時間には第一の所定時間よりも短い時間が設定される。
【００２１】
図２は、本発明による空気調和機本体の信号受付可否テーブルを示す説明図である。この信号受付可否テーブル１３１は空気調和機本体１０と通信可能な複数のリモコン２０のうち、同時に２つ以上のリモコン２０からの操作を受付けないために使用する。
【００２２】
図２のテーブルの項目は、ペアリング設定時に取得した「リモコン２０の識別コード」と、各リモコン２０からの操作信号の受付を「許可」するか、または「禁止」するかを示す「操作信号の受付可否」であり、空気調和機本体１０毎にペアリング設定されたリモコン２０の台数分のデータが記憶部１３に記憶される。
【００２３】
なお、図２に示す各リモコン２０からの操作信号の受付可否の状態は、識別コード０００１のリモコン２０からの操作を受付けて同リモコン２０から継続された操作信号の受付を許可し、他のリモコン２０（識別コード０００２及び０００３）からの操作信号の受付を禁止していることを示している。ここで、識別コード０００１のリモコン２０の操作が終了すると、全てのリモコン２０の「操作信号の受付可否」の項目が「許可」へと変更される。
【００２４】
図３は、本発明によるリモコン制御部２５の処理を説明するフローチャートである。なお、処理が開始される前提条件として、リモコン２０と空気調和機本体１０が既にペアリング設定がされているものとする。また、フローチャートに記載のＳＴはステップを表し、これに続く数字はステップ番号を表している。
【００２５】
リモコン制御部２５は、キー入力部２４からキー操作を受付けたか否かを確認する（ＳＴ１）、キー操作を受付けていない場合（ＳＴ１−Ｎｏ）、ＳＴ１に戻ってキー操作の受付けを待つ。一方、キー操作を受付けた場合（ＳＴ１−Ｙｅｓ）、表示部２３を点灯する（ＳＴ２）。次にリモコン計時部２２に計時を開始させる（ＳＴ３）。次にキー入力部２４からキー操作を受付けたか否かを確認する（ＳＴ４）、キー操作を受付けていない場合（ＳＴ４−Ｎｏ）、リモコン計時部２２の計時時間が第二の所定時間（例えば３０秒間など）を経過したか否かを確認する（ＳＴ５）。
【００２６】
リモコン制御部２５はＳＴ５において、リモコン計時部２２の計時時間が第二の所定時間を経過した場合（ＳＴ５−Ｙｅｓ）、表示部２３を消灯するとともにリモコン通信部２１を介してリモコン２０の識別コードを含む操作終了信号を空気調和機本体１０に送信する（ＳＴ６）。そして処理を終了する。なお、操作終了信号の送信は表示部２３の消灯と同時であっても、消灯の後であっても良い。
【００２７】
リモコン制御部２５はＳＴ４において、キー入力部２４からキー操作を受付けた場合（ＳＴ４−Ｙｅｓ）、受付けた操作内容に応じて制御を行う（ＳＴ７）。受付けた操作内容が例えば温度設定のように空気調和機本体１０に操作信号を送信する操作か否かを確認する（ＳＴ９）。操作信号を送信する操作である場合（ＳＴ８−Ｙｅｓ）、リモコン通信部２１を介してリモコン２０の識別コードを含む受付けた操作に対応する操作信号を空気調和機本体１０に送信する（ＳＴ９）。次にリモコン計時部２２の計時時間をリセットする（ＳＴ１０）。そしてＳＴ３へ戻る。
【００２８】
一方、リモコン制御部２５はＳＴ５において、リモコン計時部２２の計時時間が第二の所定時間を経過していない場合（ＳＴ５−Ｎｏ）、ＳＴ４に戻ってキー操作の受付けを待つ。
【００２９】
リモコン制御部２５はＳＴ８において、受付けた操作内容が例えばメニューの選択操作のように空気調和機本体１０に操作信号を送信しない操作の場合（ＳＴ８−Ｎｏ）、ＳＴ１０へジャンプする。
【００３０】
このようにリモコン２０は、図３で説明した処理を行うことにより、キー操作後に第二の所定時間が経過した場合にリモコン２０の操作終了を示す操作終了信号を空気調和機本体１０へ送信することができる。
【００３１】
図４は、本発明による本体制御部１４の処理を説明するフローチャートである。なお、処理が開始される前提条件と、フローチャートに記載のＳＴ及びこれに続く数字は図３と同様である。
【００３２】
本体制御部１４は、リモコン２０からの信号を受信したか否かを確認する（ＳＴ２１）。信号を受信した場合（ＳＴ２１−Ｙｅｓ）、図２で説明した記憶部１３の信号受付可否テーブル１３１を参照し、受信した信号に含まれるリモコンの識別コードに対応する操作信号の受付可否の項目を確認し、その項目が「許可」であるか否かを確認する（ＳＴ２２）。信号の受付可否の項目が「許可」の場合（ＳＴ２２−Ｙｅｓ）、受信した信号が空気調和機本体１０の運転停止信号であるか否かを確認する（ＳＴ２３）。信号が運転停止信号ではない場合（ＳＴ２３−Ｎｏ）、受信した信号がリモコン２０の操作終了信号であるか否かを確認する（ＳＴ２４）。
【００３３】
本体制御部１４はＳＴ２４において、受信した信号がリモコン２０の操作終了信号ではない場合（ＳＴ２４−Ｎｏ）、信号の内容に応じて制御を行うとともに、記憶部１３の信号受付可否テーブル１３１に対して受信した信号の以外のリモコン２０の識別コードの操作信号の受付可否の項目に「禁止」を記憶し、本体計時部１２に計時を開始させる（ＳＴ２５）。なおＳＴ２５において、本体計時部１２が既に計時を行っている場合には計時時間をリセットし改めて計時を開始させる。
【００３４】
次に、本体計時部１２の計時時間が第一の所定時間（例えば２分など）を経過したか否かを確認する（ＳＴ２６）。計時時間が第一の所定時間を経過した場合（ＳＴ２６−Ｙｅｓ）、記憶部１３の信号受付可否テーブル１３１の全ての受付可否の項目に「許可」を記憶する（ＳＴ２７）。そしてＳＴ２１に戻ってリモコン２０からの信号を待つ。
【００３５】
一方、本体制御部１４は、ＳＴ２１においてリモコン２０からの信号を受信していない場合（ＳＴ２１−Ｎｏ）と、ＳＴ２２において確認した操作信号の受付可否の項目が「許可」ではない「禁止」の場合（ＳＴ２２−Ｎｏ）、それぞれＳＴ２６に進む。また、ＳＴ２６において計時時間が第一の所定時間を経過していない場合（ＳＴ２６−Ｎｏ）、ＳＴ２１に戻ってリモコン２０からの信号を待つ。また、ＳＴ２４において受信した信号がリモコン２０の操作終了信号である場合（ＳＴ２４−Ｙｅｓ）、ＳＴ２７へジャンプする。
【００３６】
本体制御部１４はＳＴ２３において、受信した信号が空気調和機１の運転停止信号である場合（ＳＴ２３−Ｙｅｓ）、記憶部１３の信号受付可否テーブル１３１の全ての操作信号の受付可否の項目に「許可」を記憶する（ＳＴ２８）。そして処理を終了する。
【００３７】
本発明による空気調和機は図３〜図４で説明した処理を行うことにより、空気調和機本体に対して操作が許可されたリモコンを継続して操作している時には他のリモコンからの操作を確実に禁止しつつ、操作が許可されたリモコンの操作を終えた時には直ちに他のリモコンからの操作を受付けることができるので、利用者の利便性をより高めることができる。
【符号の説明】
【００３８】
１  空気調和機
１０  空気調和機本体
１１  本体通信部
１２  本体計時部
１３  記憶部
１３１  信号受付可否テーブル
１４  本体制御部
１４１  操作受付禁止部
２０  リモコン（２０Ａ，２０Ｂ，２０Ｃ）
２１  リモコン通信部
２２  リモコン計時部
２３  表示部
２４  キー入力部
２５  リモコン制御部
【図１】
2015190676.tif 000003
【図２】
2015190676.tif 000004
【図３】
2015190676.tif 000005
【図４】
2015190676.tif 000006
【図５】
2015190676.tif 000007